(57)【要約】【課題】電波方式のワイヤレスマウスシステムにおいて、受信ユニット・コンピュータ間のＵＳＢ通信に悪影響を与えたり、受信ユニットがＵＳＢ機器として認証されない事態を招くことなく、受信ユニットへの電波の届きの悪さを改善する。【解決手段】受信ユニット１に、外部アンテナ３を接続するための接続部５を設ける。受信ユニット１内の復調器には、受信ユニット１の内蔵アンテナで受信した信号と、接続部５に接続された外部アンテナ３で受信した信号とを切換えて供給する。【選択図】図１
2007140968.tif 000002
【特許請求の範囲】
【請求項１】
操作内容を示す情報によって変調された電波を送信するマウス本体と、
コンピュータに接続され、前記マウス本体からの電波を受信して前記情報を復調する受信ユニットと
を含むワイヤレスマウスシステムにおいて、
前記受信ユニットに接続するための外部アンテナを設け、
前記受信ユニットに、
前記外部アンテナを接続するための接続部と、
前記受信ユニット内の復調器に、前記受信ユニットの内蔵アンテナで受信した信号と、前記接続部に接続された前記外部アンテナで受信した信号とを切換えて供給する切換え手段と
を備えたことを特徴とするワイヤレスマウスシステム。
【請求項２】
請求項１に記載のワイヤレスマウスシステムにおいて、
前記外部アンテナはプラグを有しており、
前記接続部は、前記プラグを差し込むためのジャックであり、
前記切換え手段は、前記ジャックの内部に設けられた機構部であり、
前記ジャックに前記プラグが差し込まれていない状態では、前記機構部が前記復調器への入力信号線を前記内蔵アンテナに電気的に接続させ、他方、前記プラグが差し込まれると、前記機構部が前記プラグに押圧されて変位することにより、前記復調器への入力信号線と前記内蔵アンテナとの接続が遮断され、前記復調器への入力信号線が前記プラグと電気的に接続される
ことを特徴とするワイヤレスマウスシステム。
【請求項３】
請求項１に記載のワイヤレスマウスシステムにおいて、
前記外部アンテナは、
信号出力用電極と接地用電極とを含んだプラグと、
アンテナマッチング回路と
を含んでおり、前記アンテナマッチング回路の出力信号が前記信号出力用電極に送られ、
前記アンテナマッチング回路のグラウンド側が前記接地用電極と接続されている
ことを特徴とするワイヤレスマウスシステム。
【請求項４】
操作内容を示す情報によって変調された電波を送信するマウス本体と、
コンピュータに接続され、前記マウス本体からの電波を受信して前記情報を復調する受信ユニットと
を含むワイヤレスマウスシステムにおいて、
前記マウス本体に接続するための外部アンテナを設け、
前記マウス本体に、
前記マウス本体内の変調器で変調された信号の供給先を、前記マウス本体の内蔵アンテナと、前記接続部に接続された前記外部アンテナとのいずれかに切り換える切換え手段と
を備えたことを特徴とするワイヤレスマウスシステム。
【発明の詳細な説明】
【技術分野】
【０００１】
本発明は、電波方式のワイヤレスマウスシステムに関し、特に、マウス本体からの電波が途中で吸収されてしまう使用環境における、受信ユニットへの電波の届きの悪さを改善したものに関する。
【背景技術】
【０００２】
コンピュータ用の入力装置の一種として、電波方式のワイヤレスマウスシステムが登場している。これは、マウス本体が、操作内容（マウス本体の移動や、クリック等）を示す情報によって変調された電波を送信し、コンピュータに接続された受信ユニットが、このマウス本体からの電波を受信してこの情報を復調するようにしたものである（例えば、特許文献１，２）。マウス本体，受信ユニットには、それぞれ電波を送信，受信するアンテナが内蔵されている。
【０００３】
電波方式のワイヤレスマウスシステムには、赤外線方式のワイヤレスマウスシステムと比較して、マウス本体と受信ユニットとの間に障害物があっても使用できるので、マウス本体を使用する位置の自由度が高いという利点がある。しかし、例えば金属製の机の上で使用する場合には、マウス本体からの電波が途中で机に吸収されてしまうので、受信ユニットへの電波の届きが悪くなってしまう。
【０００４】
そのような場合に、マウス本体の使用位置を受信ユニットのほうに（すなわちコンピュータのほうに）近づけたのでは、使用位置の自由度が下がってしまう。そこで、従来は、例えば、受信ユニットを延長ケーブルを用いてコンピュータに接続することにより、マウス本体の使用位置を換えることなく、受信ユニットのほうをマウス本体に近づけるという対応策がとられていた。
【０００５】
【特許文献１】特開２００５−１０７７０３号公報（段落００１３〜１４、図１）
【特許文献２】特開２００４−１９２０４６号公報（段落００１４、図１）
【発明の開示】
【発明が解決しようとする課題】
【０００６】
ところが、受信ユニットはＵＳＢ（Universal Serial Bus）によってコンピュータに接続されることが多いが、延長ケーブルを用いることはＵＳＢの規格上禁止されている事項であり、延長ケーブルでの伝送ロスによって受信ユニット・コンピュータ間で正常な通信が行われない場合がある。
【０００７】
また、延長ケーブルを用いることによってＵＳＢの規格から外れるため、受信ユニットがＵＳＢ機器としての認証を取得できないことがある。
【０００８】
本発明は、上述の点に鑑み、電波方式のワイヤレスマウスシステムにおいて、受信ユニット・コンピュータ間のＵＳＢ通信に悪影響を与えたり、受信ユニットがＵＳＢ機器として認証されない事態を招くことなく、受信ユニットへの電波の届きの悪さを改善することを課題とする。
【課題を解決するための手段】
【０００９】
上記課題を解決するため、本発明に係る第１のワイヤレスマウスシステムは、操作内容を示す情報によって変調された電波を送信するマウス本体と、コンピュータに接続され、マウス本体からの電波を受信してこの情報を復調する受信ユニットとを含むワイヤレスマウスシステムにおいて、受信ユニットに接続するための外部アンテナを設け、受信ユニットに、この外部アンテナを接続するための接続部と、受信ユニット内の復調器に、受信ユニットの内蔵アンテナで受信した信号と、この接続部に接続された外部アンテナで受信した信号とを切換えて供給する切換え手段とを備えたことを特徴とする。
【００１０】
このワイヤレスマウスシステムは、次の(1)，(2)のうちの任意の形態を選択して使用することができる。
(1)受信ユニットの内蔵アンテナで受信した信号を、受信ユニット内の復調器に供給して復調する。
(2)受信ユニットに外部アンテナを接続し、受信ユニット内の復調器に供給して復調する信号を、この外部アンテナで受信した信号に切換える。
【００１１】
例えば金属製の机の上で使用する場合などのように、マウス本体からの電波が途中で吸収されてしまう使用環境では、上記(2)の形態を選択すれば、受信ユニットの電波受信感度が高くなる。これにより、そうした使用環境における受信ユニットへの電波の届きの悪さが改善される。
【００１２】
そして、従来のように受信ユニットを延長ケーブルを用いてコンピュータに接続する場合と異なり、受信ユニット・コンピュータ間のＵＳＢ通信に悪影響を与えたり、受信ユニットがＵＳＢ機器として認証されない事態を招くことはない。
【００１３】
他方、例えば木製製の机の上で使用する場合などのように、マウス本体からの電波が途中であまり吸収されない使用環境では、上記(1)の形態を選択すれば、通常のワイヤレスマウスシステムと全く同様にして使用することができる。
【００１４】
次に、本発明に係る第２のワイヤレスマウスシステムは、操作内容を示す情報によって変調された電波を送信するマウス本体と、コンピュータに接続され、マウス本体からの電波を受信してこの情報を復調する受信ユニットとを含むワイヤレスマウスシステムにおいて、マウス本体に接続するための外部アンテナを設け、マウス本体に、マウス本体内の変調器で変調された信号の供給先を、マウス本体の内蔵アンテナと、この接続部に接続された外部アンテナとのいずれかに切り換える切換え手段とを備えたことを特徴とする。
【００１５】
このワイヤレスマウスシステムは、次の(3)，(4)のうちの任意の形態を選択して使用することができる。
(3)マウス本体内の変調器で変調された信号を、マウス本体の内蔵アンテナに供給して、内蔵アンテナから電波を送信する。
(4)マウス本体に外部アンテナを接続し、マウス本体内の変調器で変調された信号の供給先をこの外部アンテナのほうに切換えて、この外部アンテナから電波を送信する。
【００１６】
例えば金属製の机の上で使用する場合などのように、マウス本体からの電波が途中で吸収されてしまう使用環境では、上記(4)の形態を選択すれば、マウス本体からの電波の飛びが良くなる。これにより、そうした使用環境における受信ユニットへの電波の届きの悪さが改善される。
【００１７】
そして、従来のように受信ユニットを延長ケーブルを用いてコンピュータに接続する場合と異なり、受信ユニット・コンピュータ間のＵＳＢ通信に悪影響を与えたり、受信ユニットがＵＳＢ機器として認証されない事態を招くことはない。
【００１８】
他方、例えば木製製の机の上で使用する場合などのように、マウス本体からの電波が途中であまり吸収されない使用環境では、上記(3)の形態を選択すれば、通常のワイヤレスマウスシステムと全く同様にして使用することができる。
【発明の効果】
【００１９】
本発明に係る第１のワイヤレスマウスシステムによれば、マウス本体からの電波が途中で吸収されてしまう使用環境では、受信ユニットに外部アンテナを接続して使用することにより、受信ユニット・コンピュータ間のＵＳＢ通信に悪影響を与えたり、受信ユニットがＵＳＢ機器として認証されない事態を招くことなく、受信ユニットへの電波の届きの悪さを改善することができ、他方、マウス本体からの電波が途中であまり吸収されない使用環境では、通常のワイヤレスマウスシステムと全く同様にして使用することができるという効果が得られる。
【００２０】
本発明に係る第２のワイヤレスマウスシステムによれば、マウス本体からの電波が途中で吸収されてしまう使用環境では、マウス本体に外部アンテナを接続して使用することにより、受信ユニット・コンピュータ間のＵＳＢ通信に悪影響を与えたり、受信ユニットがＵＳＢ機器として認証されない事態を招くことなく、受信ユニットへの電波の届きの悪さを改善することができ、他方、マウス本体からの電波が途中であまり吸収されない使用環境では、通常のワイヤレスマウスシステムと全く同様にして使用することができるという効果が得られる。
【発明を実施するための最良の形態】
【００２１】
以下、本発明を実施するための最良の形態を、図面を用いて説明する。
〔本発明に係る第１のワイヤレスマウスシステム〕
図１は、本発明に係る第１のワイヤレスマウスシステムの全体構成を示す図である。このワイヤレスマウスシステムは、受信ユニット１と、マウス本体２と、受信ユニット用外部アンテナ３とで構成されている。受信ユニット１は、一端にＵＳＢコネクタ４を有するとともに、他端に外部アンテナ用ジャック５を有している。
【００２２】
図２は、受信ユニット用外部アンテナ３（以下単に外部アンテナ３とも呼ぶ）の構成を示す図である。外部アンテナ３は３極プラグを用いたものであり、電極６（信号出力用電極），電極７，電極８（接地用電極）にそれぞれ接合された信号線９，１０，１１のうち、信号線９に、アンテナとしての役割を果たす１本の長いケーブル１２が接続されている。図１に示した受信ユニット１の外部アンテナ用ジャック５は、この外部アンテナ３の３極プラグを差し込むためのジャックである。
【００２３】
図３は、図１に示した受信ユニット１の回路構成を示す図である。受信ユニット１には、ＵＳＢインタフェース１３と受信部１４とが設けられている。受信部１４には、ＦＭ復調器１５と、内蔵アンテナ用マッチング回路１６と、外部アンテナ用マッチング回路１７と、スイッチ１８と、内蔵アンテナ１９とが設けられている。
【００２４】
内蔵アンテナ用マッチング回路１６は、内蔵アンテナ１９で受信されてＦＭ復調器１５の入力端子INに供給される信号の電圧振幅が基準レベル以上になるように、内蔵アンテナ１９とのインピーダンス整合を取るための回路である。
【００２５】
外部アンテナ用マッチング回路１７は、外部アンテナ用ジャック５（以下単にジャック５とも呼ぶ）に差し込まれた外部アンテナ３で受信されてＦＭ復調器１５の入力端子INに供給される信号の電圧振幅が基準レベル以上になるように、外部アンテナ３とのインピーダンス整合を取るための回路である。
【００２６】
内蔵アンテナ用マッチング回路１６や外部アンテナ用マッチング回路１７としては、図に示したようにコンデンサのみを用いたものに限らず、コンデンサとコイルとを用いたものなど、既存の適宜の構成のマッチング回路を用いてよい。
【００２７】
スイッチ１８は、ＦＭ復調器１５に、内蔵アンテナ１９で受信した信号と、ジャック５に差し込まれた外部アンテナ３で受信された信号とを切換えて供給するための切換え手段である。
【００２８】
このスイッチ１８の切換え方式としては、次の(i)，(ii)の２通りの方式が考えられる。
(i)ジャック５への外部アンテナ３の抜き差しに応じて自動的に切換えが行われる方式。
(ii)ユーザーが手動で切換えを行う方式。
【００２９】
このうちの(i)の方式で切換えを行うためのスイッチ１８のより詳細な構成を、図４に示す。図４（ａ）に示すように、ジャック５の穴の内部に、この穴の中心に向いた突起部２０ａを有する金属製の板バネ２０が設けられている。この板バネ２０には、外部アンテナ用マッチング回路１７への入力信号線２３が接合されている。
【００３０】
ジャック５の穴の外側（図の上側）には、板バネ２０と並行に延びた金属製の板バネ２１が、剛性を有する連結部材２２によって板バネ２０に連結して設けられている。この板バネ２１には、ＦＭ復調器１５の入力端子INへの入力信号線２４が接合されている。
【００３１】
板バネ２１の片側（図の下側）には、内蔵アンテナ用マッチング回路１６からの出力信号線２５が設けられており、板バネ２１のもう一方の片側（図の上側）には、アンテナ用マッチング回路１７からの出力信号線２６が設けられている。
【００３２】
ジャック５に外部アンテナ３の３極プラグが差し込まれていない状態では、図４（ａ）に示すように、板バネ２１は、出力信号線２５に接触し、出力信号線２６とは離隔している。したがって、この状態では、内蔵アンテナ１９で受信した信号が、内蔵アンテナ用マッチング回路１６から出力信号線２５，板バネ２１，入力信号線２４を経てＦＭ復調器１５の入力端子INに供給される。
【００３３】
これに対し、図４（ｂ）に示すように、ジャック５に外部アンテナ３の３極プラグが差し込まれると、３極プラグの信号出力用電極６が板バネ２０の突起部２０ａをジャック５の穴の外側方向に押圧し、それによって板バネ２０及び２１がこの穴の外側方向に撓むことにより、出力信号線２５が板バネ２１から離隔し、出力信号線２６のほうが板バネ２１に接触するようになる。
【００３４】
これにより、このとき、外部アンテナ３のケーブル１２（図２）で受信した信号が、信号出力用電極６から板バネ２０，入力信号線２３，外部アンテナ用マッチング回路１７，出力信号線２６，板バネ２１，入力信号線２４を経てＦＭ復調器１５の入力端子INに供給される。
【００３５】
このように、板バネ２０，２１及び連結部材２２という機構部が図３のスイッチ１８を構成しており、ジャック５に外部アンテナ３の３極プラグを差し込んでいない状態では、内蔵アンテナ１９で受信されて内蔵アンテナ用マッチング回路１６によって内蔵アンテナ１９とのインピーダンスと整合させた信号が自動的にＦＭ復調器１５に供給され、他方、ジャック５に外部アンテナ３の３極プラグを差し込んだ状態では、外部アンテナ３で受信されて外部アンテナ用マッチング回路１７によって外部アンテナ３とのインピーダンスと整合させた信号が自動的にＦＭ復調器１５に供給される。
【００３６】
ＦＭ復調器１５で復調された信号は、ＵＳＢインタフェース１３（図３）によってＵＳＢの信号フォーマットに変換され、ＵＳＢコネクタ４（図１）から出力される。
【００３７】
図１のマウス本体２は、一般的な光学センサ方式のワイヤレスマウスと同一のものであり、その構成の概要を示すと図５の通りである。マウス本体２には、マウス本体２の移動量及び移動方向（机等に対する相対移動量及び相対移動方向）を検出するための光センサ３１と、ユーザーが操作するための右ボタン３２，左ボタン３３及びホイール３４と、送信部３５と、マウス本体２全体を管理・制御するコントローラ３６と、各種情報を記憶するためのメモリ３７とが設けられている。
【００３８】
コントローラ３６は、光センサ３１の検出結果や右ボタン３２，左ボタン３３及びホイール３４の操作状態を示す情報を送信部３５に送る。送信部３５は、図示は省略するが、コントローラ３６からの情報をＦＭ変調するＦＭ変調器と、内蔵アンテナと、内蔵アンテナ用のマッチング回路とを含んでいる。
【００３９】
図６は、このワイヤレスマウスシステムを、受信ユニット１に外部アンテナ３を接続して使用する例を示す図である。コンピュータ本体３８やディスプレイ３９を金属製の机の上に置き、受信ユニット１を直接コンピュータ本体３８のＵＳＢスロットに接続して、この机の上でマウス本体２を操作しても、受信ユニット１に外部アンテナ３が接続されているので、受信ユニット１の電波受信感度が高くなる。これにより、そうした使用環境における受信ユニット１への電波の届きの悪さが改善される。
【００４０】
そして、受信ユニット１を延長ケーブルを用いてコンピュータ本体３８に接続する場合と異なり、受信ユニット１・コンピュータ本体３８間のＵＳＢ通信に悪影響を与えたり、受信ユニット１がＵＳＢ機器として認証されない事態を招くことはない。
【００４１】
他方、木製製の机の上でマウス本体２を操作するような場合は、受信ユニット１に外部アンテナ３を接続せずに使用することにより、通常のワイヤレスマウスシステムと全く同様にして使用することができる。
【００４２】
図２及び図３には、外部アンテナ３とのインピーダンス整合を取るための外部アンテナ用マッチング回路１７を、受信ユニット１に設けた構成を示した。しかし、別の例として、受信ユニット１に外部アンテナ用マッチング回路１７を設けず（図３のスイッチ１８の左上の端子を直接ＦＭ復調器１５の入力端子INに接続し）、外部アンテナ３のほうにこの外部アンテナ用マッチング回路１７を設けてもよい。
【００４３】
図７は、そのようにした変更例を示す図であり、図２と共通する部分には同一符号を付している。信号線９，１０，１１とケーブル１２との間に、外部アンテナ用マッチング回路１７を搭載した基板が設けられており、これらの信号線及び基板が一体として合成樹脂等のケーシングに収納されている。
【００４４】
ケーブル１２で受信した信号は、外部アンテナ用マッチング回路１７，信号線９を経て信号出力用電極６に送られる。外部アンテナ用マッチング回路１７のグラウンド側は、信号線１１を介して接地用電極８と接続されている。
【００４５】
このように外部アンテナ３のほうに外部アンテナ用マッチング回路１７を設けた場合には、受信ユニット１の部品点数を減らすことができるので、受信ユニット１を小型化することができる。
【００４６】
また、図２には、外部アンテナ３に、アンテナとしての役割を果たす１本のケーブル１２を設けた構成を示した。しかし、別の例として、アンテナとしての役割を果たすループ状のケーブルあるいは複数本のケーブルを外部アンテナ３に設けることにより、さらに電波受信感度を高めるようにしてもよい。
【００４７】
図８は、ループ状のケーブルを設けた変更例を示す図であり、図２と共通する部分には同一符号を付している。ループ状のケーブル４１の一端が信号線９に接続されており、このケーブル４１の他端が信号線１１（接地用電極８に接合された信号線）に接続されている。
【００４８】
また、図４には、図３のスイッチ１８が、ジャック５への外部アンテナ３の抜き差しに応じて自動的に切換えを行う構成を示した。しかし、別の例として、受信ユニット１の筐体の表面に、ユーザーがこの切換えを手動で行うための操作ボタンを設けるようにしてもよい。
【００４９】
〔本発明に係る第２のワイヤレスマウスシステム〕
次に、図９は、本発明に係る第２のワイヤレスマウスシステムの全体構成を示す図である。このワイヤレスマウスシステムは、マウス本体５１と、受信ユニット５２と、マウス本体用外部アンテナ５３とで構成されている。マウス本体５１は、前部（図の左下側）に外部アンテナ用ジャック５４を有している。受信ユニット５２は、一端にＵＳＢコネクタ５５を有している。
【００５０】
図１０は、マウス本体用外部アンテナ５３（以下単に外部アンテナ５３とも呼ぶ）の構成を示す図である。外部アンテナ３は３極プラグを用いたものであり、電極５６（信号出力用電極），電極５７，電極５８（接地用電極）にそれぞれ接合された信号線５９，６０，６１のうち、信号線５９に、アンテナとしての役割を果たす、剛性を有するコイル状金属片６２が接続されている。このコイル状金属片６２は、樹脂モールド部７０で覆われている。図９に示したマウス本体５１の外部アンテナ用ジャック５４は、この外部アンテナ５３の３極プラグを差し込むためのジャックである。
【００５１】
マウス本体５１は、全体的な構成は図１のマウス本体２について図５に示したのと同じであるが、送信部（図５における送信部３５）の構成に特徴を有している。このマウス本体５１の送信部には、図１１に示すように、ＦＭ変調器６３と、内蔵アンテナ用マッチング回路６４と、外部アンテナ用マッチング回路６５と、スイッチ６６と、内蔵アンテナ６７とが設けられている。
【００５２】
ＦＭ変調器６３は、マウス本体５１内のコントローラ（図５におけるコントローラ３６）からの操作内容（マウス本体５１の移動や、クリック等）を示す情報によってＦＭ変調した高周波信号を、出力端子0UTから出力する。
【００５３】
内蔵アンテナ用マッチング回路６４は、内蔵アンテナ６７とのインピーダンス整合を取るための回路である。外部アンテナ用マッチング回路６５は、外部アンテナ用ジャック５４（以下単にジャック５４とも呼ぶ）に差し込まれた外部アンテナ５３とのインピーダンス整合を取るための回路である。
【００５４】
内蔵アンテナ用マッチング回路６４や外部アンテナ用マッチング回路６５としては、図に示したようにコンデンサのみを用いたものに限らず、コンデンサとコイルとを用いたものなど、既存の適宜の構成のマッチング回路を用いてよい。
【００５５】
スイッチ６６は、ＦＭ変調器６３で変調された高周波信号の供給先を、内蔵アンテナ６７と、ジャック５４に差し込まれた外部アンテナ５３とのいずれかに切り換える切換え手段である。
【００５６】
このスイッチ６６の切換え方式としては、次の(i)，(ii)の２通りの方式が考えられる。
(i)ジャック５４への外部アンテナ５３の抜き差しに応じて自動的に切換えが行われる方式。
(ii)ユーザーが手動で切換えを行う方式。
【００５７】
このうちの(i)の方式で切換えを行うためには、図３のスイッチ１８について図４に示した金属製の板バネ２０，２１や連結部材２２と同様な機構部を設け、ジャック５４に外部アンテナ５３の３極プラグが差し込まれていない状態では、この機構部がＦＭ変調器６３の出力信号線を内蔵アンテナ６７に電気的に接続させ、他方、ジャック５４に外部アンテナ５３の３極プラグが差し込まれると、この機構部が３極プラグの信号出力用電極５６（図１０）に押圧されて変位することにより、ＦＭ変調器６３の出力信号線と内蔵アンテナ６７との接続が遮断され、ＦＭ変調器６３の出力信号線が信号出力用電極５６のほうに電気的に接続されるようにすればよい。
【００５８】
また、上記(ii)の方式で切換えを行うために、マウス本体５１の表面の、右ボタン，左ボタンやホイールの位置とは別の位置に、ユーザーがこの切換えを手動で行うための操作ボタンを設けるようにしてもよい。
【００５９】
図１２は、このワイヤレスマウスシステムを、マウス本体５１に外部アンテナ５３を接続して使用する例を示す図である。コンピュータ本体３８やディスプレイ３９を金属製の机の上に置き、受信ユニット５２を直接コンピュータ本体３８のＵＳＢスロットに接続して、この机の上でマウス本体５１を操作しても、マウス本体５１に外部アンテナ５３が接続されているので、マウス本体５１からの電波の飛びが良くなる。これにより、そうした使用環境における受信ユニット５２への電波の届きの悪さが改善される。
【００６０】
また、外部アンテナ５３は、剛性を有するコイル状金属片６２（図１０）をアンテナとして用いているので、図２の外部アンテナ３のように長いケーブルを用いる場合と異なり、マウス本体５１の操作性を損なうことはない。さらに、マウス本体５１の前部（操作時に手が触れない位置）に外部アンテナ５３を差し込むようにしているので、その点でも操作性を損なうことはない。
【００６１】
そして、受信ユニット５２を延長ケーブルを用いてコンピュータ本体３８に接続する場合と異なり、受信ユニット５２・コンピュータ本体３８間のＵＳＢ通信に悪影響を与えたり、受信ユニット５２がＵＳＢ機器として認証されない事態を招くことはない。
【００６２】
他方、木製製の机の上でマウス本体５１を操作するような場合は、マウス本体５１に外部アンテナ５３を接続せずに使用することにより、通常のワイヤレスマウスシステムと全く同様にして使用することができる。
【００６３】
図１０及び図１１には、外部アンテナ５３とのインピーダンス整合を取るための外部アンテナ用マッチング回路６５を、マウス本体５１に設けた構成を示した。しかし、別の例として、マウス本体５１に外部アンテナ用マッチング回路６５を設けず（図１のスイッチ１８の左下の端子を直接ＦＭ変調器１５の出力端子OUTに接続し）、図７に外部アンテナ３について示したのと同様にして、外部アンテナ５３のほうに外部アンテナ用マッチング回路６５を設けてもよい。
【００６４】
また、以上に説明したワイヤレスマウスシステムでは、受信ユニット，マウス本体のうちのいずれか一方のみに外部アンテナを接続できるようにしている。しかし、受信ユニット，マウス本体の両方に外部アンテナを接続できるようにする（図１の受信ユニット１及び外部アンテナ３と、図９のマウス本体５１及び外部アンテナ５３とでワイヤレスマウスシステムを構成する）ようにしてもよい。
【００６５】
また、以外の例では、外部アンテナのプラグを受信ユニットやマウス本体のジャックに差し込むことによって受信ユニットやマウス本体に外部アンテナが接続されるようにしているが、これ以外の方法によって受信ユニットやマウス本体に外部アンテナを接続するようにしてもよい。
【図面の簡単な説明】
【００６６】
【図１】本発明に係る第１のワイヤレスマウスシステムの全体構成を示す図である。
【図２】図１の受信ユニット用外部アンテナの構成を示す図である。
【図３】図１の受信ユニットの回路構成を示す図である。
【図４】図３のスイッチの詳細な構成例を示す図である。
【図５】図１のマウス本体の構成の概要を示す図である。
【図６】図１のワイヤレスマウスシステムの使用例を示す図である。
【図７】図１の受信ユニット用外部アンテナの構成の変更例を示す図である。
【図８】図１の受信ユニット用外部アンテナの構成の変更例を示す図である。
【図９】本発明に係る第２のワイヤレスマウスシステムの全体構成を示す図である。
【図１０】図９のマウス本体用外部アンテナの構成を示す図である。
【図１１】図９のマウス本体の送信部の構成を示す図である。
【図１２】図９のワイヤレスマウスシステムの使用例を示す図である。
【符号の説明】
【００６７】
１  受信ユニット、  ３  受信ユニット用外部アンテナ、  ５  外部アンテナ用ジャック、  ６  信号出力用電極、  ８  接地用電極、  １２  ケーブル、  １５  ＦＭ復調器、  １６  内蔵アンテナ用マッチング回路、  １７  外部アンテナ用マッチング回路、  １８  スイッチ、  １９  内蔵アンテナ、  ２０  板バネ、  ２１  板バネ、  ５１  マウス本体、  ５３  マウス本体用外部アンテナ、  ５４  外部アンテナ用ジャック、  ５６  信号出力用電極、  ６２  コイル状金属片、  ６４  内蔵アンテナ用マッチング回路、  ６５  外部アンテナ用マッチング回路、  ６６  スイッチ、  ６７  内蔵アンテナ
【図１】
2007140968.tif 000003
【図２】
2007140968.tif 000004
【図３】
2007140968.tif 000005
【図４】
2007140968.tif 000006
【図５】
2007140968.tif 000007
【図６】
2007140968.tif 000008
【図７】
2007140968.tif 000009
【図８】
2007140968.tif 000010
【図９】
2007140968.tif 000011
【図１０】
2007140968.tif 000012
【図１１】
2007140968.tif 000013
【図１２】
2007140968.tif 000014